(57)【要約】【課題】柔軟な優先制御が可能なパケット伝送装置を提供すること。【解決手段】ＩＰヘッダを構成するＰプロトコルやＴＣＰポート番号等の各組み合わせに対して優先クラスが設定された優先クラス設定テーブル１０５を用いて、ＩＰパケットに対するクラスを判別し、当該パケットをパケットバッファ１０７の判別されたクラスに対応した領域に格納するパケット処理部１０３と、パケットバッファ１０７からクラスの高い順にパケットを抽出してＡＴＭセルを組み立て、宛先／送信元のＭＡＣアドレスやＩＰアドレスに対してＶＣが設定されたＶＣマッピングテーブル１１１を用いてＡＴＭセルをＡＴＭセルバッファ１１３のＶＣに対応した領域に格納するＡＴＭ処理部１０９と、ＶＣ毎に送出順が設定された優先制御情報テーブル１１７を参照して、ＡＴＭセルバッファ１１３から送出順かつクラス順にＡＴＭセルを抽出し転送する優先制御部１１５とを備えている。【選択図】　　図１
2004015504.tif 000002
【特許請求の範囲】
【請求項１】
プロトコルおよびポート番号の少なくともいずれか１つを用いた各組み合わせに対して優先クラスが設定された優先クラス設定テーブルと、
各優先クラスに対応した複数の領域によって構成された、パケットを蓄積するためのパケットバッファと、
前記優先クラス設定テーブルを用いてパケットの優先クラスを判別し、前記パケットバッファの前記判別された優先クラスに対応する領域に前記パケットを格納するパケット処理部と、を備え、
前記パケットバッファに蓄積されているパケットを優先クラスの高い順に抽出することを特徴とするパケット伝送装置。
【請求項２】
宛先情報または送信元情報に対してＶＣコネクションが設定されたＶＣマッピングテーブルと、
各ＶＣコネクションに対応した複数の領域によって構成され、各領域が前記優先クラスに対応した複数の領域によって構成された、ＡＴＭセルを蓄積するためのＡＴＭセルバッファと、
前記ＶＣマッピングテーブルを用いて、前記パケットバッファから抽出されたパケットに対しどのＶＣコネクションにマッピングするかを判別し、前記パケットからＡＴＭセルを組み立てた後、前記ＡＴＭセルバッファ中の前記判別されたＶＣコネクションの前記パケット処理部で判別された優先クラスに対応する領域に格納するＡＴＭ処理部と、
ＶＣコネクション毎に送出順が設定された優先制御情報テーブルと、
前記ＡＴＭセルバッファに蓄積されているＡＴＭセルを前記優先制御情報テーブルで設定されている送出順かつ優先クラス順に抽出する優先制御部と、
を備えたことを特徴とする請求項１記載のパケット伝送装置。
【請求項３】
１つのパケットから組み立てられるＡＴＭセルの個数をパケット毎にカウントし、当該セル数を前記ＡＴＭセルバッファに格納するセル数カウント部を備えたことを特徴とする請求項２記載のパケット伝送装置。
【請求項４】
前記優先クラス設定テーブル、前記ＶＣマッピングテーブルまたは前記優先制御情報テーブルは書き換え可能であることを特徴とする請求項１、２または３記載のパケット伝送装置。
【請求項５】
プロトコルおよびポート番号の少なくともいずれか１つを用いた各組み合わせに対して優先クラスが設定された優先クラス設定テーブルと、各優先クラスに対応した複数の領域によって構成された、パケットを蓄積するためのパケットバッファと、を備えたパケット伝送装置を用いるパケット伝送方法であって、
前記優先クラス設定テーブルを用いてパケットの優先クラスを判別する優先クラス判別ステップと、
前記パケットバッファの前記優先クラス判別ステップで判別された優先クラスに対応する領域に前記パケットを格納するパケット格納ステップと、
前記パケットバッファに蓄積されているパケットを優先クラスの高い順に抽出するパケット抽出ステップと、
を有することを特徴とするパケット伝送方法。
【請求項６】
前記パケット伝送装置が、宛先若しくは送信元のＭＡＣアドレスまたはＩＰアドレスに対してＶＣコネクションが設定されたＶＣマッピングテーブルと、各ＶＣコネクションに対応した複数の領域によって構成され、各領域が前記優先クラスに対応した複数の領域によって構成された、ＡＴＭセルを蓄積するためのＡＴＭセルバッファと、ＶＣコネクション毎に送出順が設定された優先制御情報テーブルと、を備えており、
前記ＶＣマッピングテーブルを用いて、前記パケットバッファから抽出されたパケットに対しどのＶＣコネクションにマッピングするかを判別するＶＣマッピング判別ステップと、
前記パケットからＡＴＭセルを組み立てるＡＴＭセル組立ステップと、
前記ＡＴＭセルバッファ中の前記ＶＣマッピング判別ステップで判別されたＶＣコネクションの前記優先クラス判別ステップで判別された優先クラスに対応する領域に、前記ＡＴＭセル組立ステップで組み立てられたＡＴＭセルを格納するＡＴＭセル格納ステップと、
前記ＡＴＭセルバッファに蓄積されているＡＴＭセルを前記優先制御情報テーブルで設定されている送出順かつ優先クラス順に抽出するＡＴＭセル抽出ステップと、
を有することを特徴とする請求項５記載のパケット伝送方法。
【請求項７】
１つのパケットから組み立てられるＡＴＭセルの個数をパケット毎にカウントするセル数カウントステップと、
前記セル数カウントステップでカウントされたセル数を前記ＡＴＭセルバッファに格納するセル数格納ステップと、
を有することを特徴とする請求項６記載のパケット伝送方法。
【請求項８】
請求項５、６または７に記載のパケット伝送方法をコンピュータに実行させるためのパケット伝送プログラム。
【発明の詳細な説明】
【０００１】
【発明の属する技術分野】
本発明は、入力されたＩＰパケットをＡＴＭセルに変換し、優先制御を行って転送するパケット伝送装置、パケット伝送方法およびパケット伝送プログラムに関する。
【０００２】
【従来の技術】
近年では、ＩＰパケットを使用した音声通信や映像通信、データ通信といったメディア通信および当該通信を利用したサービスが提供されている。これらの通信およびサービスにおいて遅延時間や帯域保証などの伝送品質が十分に確保されないと、音切れやコマ落ち、データの破損などが発生するという問題があった。
【０００３】
特開平１１−３１３０７９号公報には、上記問題を解決してパケットの伝送品質を確保するために、通信サービスの種類に応じた柔軟な優先制御が可能なＡＴＭ通信装置が開示されている。当該ＡＴＭ通信装置は、図６に示すように、入力されたＡＴＭセルのヘッダをＡＴＭセルヘッダ解析部１１で解析し、ＡＴＭセルのＩＰヘッダをＩＰヘッダ解析部１３で解析する。ＩＰヘッダ解析部１３で解析されたＡＴＭセルは、ＩＰヘッダに設定されている優先度（ＩＰ優先度）に応じて適当な優先度別バッファ１５に振り分けられ（クラス分けされ）、当該優先度別バッファ１５に振り分けられたＡＴＭセルは、セル抽出部１７においてＩＰ優先度を基準に設定されたスケジュールに従って読み出される。
【０００４】
【発明が解決しようとする課題】
このように、上記公報に記載のパケット伝送装置にあっては、ＩＰ優先度によってＡＴＭセルが振り分けられるため、通信サービスの種類に応じた柔軟な優先制御を行うことができる。しかしながら、ＩＰ優先度が規定することのできるクラス数はＩＰヘッダ中のＩＰ優先度を示すビット数（領域）によって決定されるため、当該ビット数が少ないとＩＰ優先度が規定し得るクラス数も少なくなる。例えば、ＩＰヘッダ中のＩＰ優先度を示す領域にはＴｏＳ（Ｔｙｐｅ　ｏｆ　Ｓｅｒｖｉｃｅ）フィールドが考えられるが、当該ＴｏＳフィールドとして３ビットが割り当てられているのであれば、ＩＰ優先度は８クラスまでしか規定することができない。また、ＴｏＳフィールドではデータの種類を特定することができないため、データ種別毎にクラス分けをすることもできない。
【０００５】
したがって、ＩＰ優先度のみからクラス分けをして優先制御を行うといった方式は、コンテンツやサービスの種類の増加および利用者の増加に伴い多種類のデータやプロトコルが利用される現在の状況では、必ずしも最適な方式とは言えなくなった。例えばリアルタイム性が強く求められるデータとそうでないデータ、優先的に送信しなければならないマシンとそうでないマシンといったように、現在の状況においても最適な優先制御を行うためにはより多くのクラス分けが必要とされる。
【０００６】
本発明は、上記従来の事情に鑑みてなされたものであって、より一層柔軟な優先制御を行うことのできるパケット伝送装置、パケット伝送方法およびパケット伝送プログラムを提供することを目的としている。
【０００７】
【課題を解決するための手段】
上記目的を達成するために、本発明に係るパケット伝送装置は、プロトコルおよびポート番号の少なくともいずれか１つを用いた各組み合わせに対して優先クラスが設定された優先クラス設定テーブルと、各優先クラスに対応した複数の領域によって構成された、パケットを蓄積するためのパケットバッファと、前記優先クラス設定テーブルを用いてパケットの優先クラスを判別し、前記パケットバッファの前記判別された優先クラスに対応する領域に前記パケットを格納するパケット処理部と、を備え、前記パケットバッファに蓄積されているパケットを優先クラスの高い順に抽出する。したがって、パケットとしてさまざまな種類のデータが入力された場合においても、柔軟な優先制御を行うことができ、良質な伝送品質を確保することができる。
【０００８】
また、本発明に係るパケット伝送装置は、宛先情報または送信元情報に対してＶＣコネクションが設定されたＶＣマッピングテーブルと、各ＶＣコネクションに対応した複数の領域によって構成され、各領域が前記優先クラスに対応した複数の領域によって構成された、ＡＴＭセルを蓄積するためのＡＴＭセルバッファと、前記ＶＣマッピングテーブルを用いて、前記パケットバッファから抽出されたパケットに対しどのＶＣコネクションにマッピングするかを判別し、前記パケットからＡＴＭセルを組み立てた後、前記ＡＴＭセルバッファ中の前記判別されたＶＣコネクションの前記パケット処理部で判別された優先クラスに対応する領域に格納するＡＴＭ処理部と、ＶＣコネクション毎に送出順が設定された優先制御情報テーブルと、前記ＡＴＭセルバッファに蓄積されているＡＴＭセルを前記優先制御情報テーブルで設定されている送出順かつ優先クラス順に抽出する優先制御部と、を備えている。このように、パケット毎に適当なＶＣコネクションをマッピング行っており、ＡＴＭセルはＶＣコネクション毎および優先クラス毎にＡＴＭセルバッファに格納されるため、パケットの宛先または送信元に応じて適当な優先制御を行うことができる。
【０００９】
また、本発明に係るパケット伝送装置は、１つのパケットから組み立てられるＡＴＭセルの個数をパケット毎にカウントし、当該セル数を前記ＡＴＭセルバッファに格納するセル数カウント部を備えている。したがって、ＡＴＭセルであってもパケット単位で優先制御を行うことができ、同一ＶＣコネクションかつ同一優先クラスのＡＴＭセルを連続して正確に転送することもできる。
【００１０】
また、本発明に係るパケット伝送装置は、前記優先クラス設定テーブル、前記ＶＣマッピングテーブルまたは前記優先制御情報テーブルは書き換え可能である。したがって、当該装置のユーザにとって所望の設定にすることができる。
【００１１】
また、本発明に係るパケット伝送方法は、プロトコルおよびポート番号の少なくともいずれか１つを用いた各組み合わせに対して優先クラスが設定された優先クラス設定テーブルと、各優先クラスに対応した複数の領域によって構成された、パケットを蓄積するためのパケットバッファと、を備えたパケット伝送装置を用いるパケット伝送方法であって、前記優先クラス設定テーブルを用いてパケットの優先クラスを判別する優先クラス判別ステップと、前記パケットバッファの前記優先クラス判別ステップで判別された優先クラスに対応する領域に前記パケットを格納するパケット格納ステップと、前記パケットバッファに蓄積されているパケットを優先クラスの高い順に抽出するパケット抽出ステップと、を有している。
【００１２】
また、本発明に係るパケット伝送方法は、前記パケット伝送装置が、宛先若しくは送信元のＭＡＣアドレスまたはＩＰアドレスに対してＶＣコネクションが設定されたＶＣマッピングテーブルと、各ＶＣコネクションに対応した複数の領域によって構成され、各領域が前記優先クラスに対応した複数の領域によって構成された、ＡＴＭセルを蓄積するためのＡＴＭセルバッファと、ＶＣコネクション毎に送出順が設定された優先制御情報テーブルと、を備えており、前記ＶＣマッピングテーブルを用いて、前記パケットバッファから抽出されたパケットに対しどのＶＣコネクションにマッピングするかを判別するＶＣマッピング判別ステップと、前記パケットからＡＴＭセルを組み立てるＡＴＭセル組立ステップと、前記ＡＴＭセルバッファ中の前記ＶＣマッピング判別ステップで判別されたＶＣコネクションの前記優先クラス判別ステップで判別された優先クラスに対応する領域に、前記ＡＴＭセル組立ステップで組み立てられたＡＴＭセルを格納するＡＴＭセル格納ステップと、前記ＡＴＭセルバッファに蓄積されているＡＴＭセルを前記優先制御情報テーブルで設定されている送出順かつ優先クラス順に抽出するＡＴＭセル抽出ステップと、を有している。
【００１３】
また、本発明に係るパケット伝送方法は、１つのパケットから組み立てられるＡＴＭセルの個数をパケット毎にカウントするセル数カウントステップと、前記セル数カウントステップでカウントされたセル数を前記ＡＴＭセルバッファに格納するセル数格納ステップと、を有している。
【００１４】
さらに、本発明に係るパケット伝送プログラムは、請求項５、６または７に記載のパケット伝送方法をコンピュータに実行させるためのものである。
【００１５】
【発明の実施の形態】
以下、本発明に係るパケット伝送装置およびパケット伝送方法の実施の形態について、〔第１の実施形態〕、〔第２の実施形態〕の順に図面を参照して詳細に説明する。なお、各実施形態の説明では、本発明に係るパケット伝送装置およびパケット伝送方法について詳述するが、本発明に係るパケット伝送プログラムについては、パケット伝送方法を実行させるためのプログラムであることから、その説明は以下のパケット伝送方法の説明に含まれる。
【００１６】
〔第１の実施形態〕
図１は、本発明の第１の実施形態に係るパケット伝送装置を示すブロック図である。同図に示すように、第１の実施形態のパケット伝送装置は、入力インタフェース部（以下「入力Ｉ／Ｆ部」という。）１０１と、パケット処理部１０３と、優先クラス設定テーブル１０５と、パケットバッファ１０７と、ＡＴＭ処理部１０９と、ＶＣマッピングテーブル１１１と、ＡＴＭセルバッファ１１３と、優先制御部１１５と、優先制御情報テーブル１１７と、出力インタフェース部（以下「出力Ｉ／Ｆ部」という。）１１９とを備えて構成されている。
【００１７】
以下、本実施形態のパケット伝送装置が有する各構成要素について説明する。まず、入力Ｉ／Ｆ部１０１について説明する。入力Ｉ／Ｆ部１０１は、インターネットやＬＡＮ等のネットワーク１２１ａに対する本装置の入力インタフェースである。本実施形態では、ネットワーク１２１ａからＩＰパケットやイーサネットパケット等の「パケット」が送られてくる。以下の説明では、ＩＰパケットが送られてくるものとする。
【００１８】
次に、優先クラス設定テーブル１０５について説明する。優先クラス設定テーブル１０５は、ＩＰパケットのヘッダ（ＩＰヘッダ）の一部を構成するＴｏＳ（Ｔｙｐｅ　ｏｆ　Ｓｅｒｖｉｃｅ）フィールド、ＩＰアドレス、ＩＰプロトコル、ＴＣＰポート番号、ＵＤＰポート番号等の各組み合わせに対し優先クラスが設定されたテーブルである。なお、優先クラス設定テーブル１０５は書き換え可能であり、当該装置のユーザは各組み合わせや要素、優先クラスの変更、追加、削除を行うことができる。
【００１９】
図２に、優先クラス設定テーブル１０５の一例を示す。同図に示した例では、ＩＰアドレスがａのパケットに対しては優先クラス“０”、ＩＰアドレスがｂでＩＰプロトコルがＴＣＰのパケットに対しては優先クラス“１”、ＩＰアドレスがｂでＩＰプロトコルがＩＣＭＰのパケットに対しては優先クラス“２”、ＴｏＳが“０”でＩＰアドレスがｃのパケットに対しては優先クラス“０”が設定されている。
【００２０】
次に、パケット処理部１０３およびパケットバッファ１０７について説明する。パケット処理部１０３は、入力Ｉ／Ｆ部１０１から入力されたＩＰパケットに対して優先クラス設定テーブル１０５を用いて優先クラスを判別し、当該ＩＰパケットをパケットバッファ１０７に格納するものである。なお、パケットバッファ１０７は、図１に示すように、各優先クラスに対応した複数の領域によって構成されており、パケット処理部１０３は、優先クラス設定テーブル１０５を用いて判別された優先クラスに対応する領域にＩＰパケットを格納する。
【００２１】
次に、ＶＣマッピングテーブル１１１について説明する。ＶＣマッピングテーブル１１１は、宛先ＭＡＣアドレス、送信元ＭＡＣアドレス、ＩＰヘッダの一部を構成する宛先ＩＰアドレス、送信元ＩＰアドレスのいずれかに対して、ＶＰＩ／ＶＣＩの組で定義されるＶＣ（Ｖｉｒｔｕａｌ　Ｃｈａｎｎｅｌ：仮想チャネルともいう。）コネクションが設定されたテーブルである。なお、ＶＣマッピングテーブル１１１は書き換え可能であり、当該装置のユーザは各要素やＶＣの変更、追加、削除を行うことができる。
【００２２】
図３に、ＶＣマッピングテーブル１１１の一例を示す。同図に示した例では、送信元ＭＡＣアドレスがＸのパケットに対してはＶＣ＃１、宛先ＩＰアドレスがＹのパケットに対してはＶＣ＃２が設定されている。
【００２３】
次に、ＡＴＭ処理部１０９およびＡＴＭセルバッファ１１３について説明する。ＡＴＭ処理部１０９は、パケットバッファ１０７に蓄積されているＩＰパケットを優先クラスの高い順に抽出してＡＴＭセルを組み立て、当該ＡＴＭセルをＡＴＭセルバッファ１１３に格納するものである。なお、ＡＴＭセルバッファ１１３は、図１に示すように、各ＶＣに対応した複数の領域によって構成されており、各領域もパケットバッファ１０７と同様に、優先クラスに対応した複数の領域によって構成されている。したがって、ＡＴＭ処理部１０９は、ＩＰパケットに対してどのＶＣにマッピングするかをＶＣマッピングテーブル１１１を用いて判別し、ＡＴＭセルバッファ１１３中の判別されたＶＣのパケット処理部１０３で判別された優先クラスに対応する領域にＡＴＭセルを格納する。
【００２４】
次に、優先制御情報テーブル１１７について説明する。優先制御情報テーブル１１７は、ＶＣ毎に送出順が設定されたテーブルである。なお、優先制御情報テーブル１１７は書き換え可能であり、当該装置のユーザはＶＣや送出順の変更、追加、削除を行うことができる。図４に、優先制御情報テーブル１１７の一例を示す。同図に示した例では、ＶＣ＃１に対しては送出順“２”、ＶＣ＃２に対しては送出順“３”、ＶＣ＃８に対しては送出順“１”が設定されている。
【００２５】
次に、優先制御部１１５について説明する。優先制御部１１５は、優先制御情報テーブル１１７を参照して、ＡＴＭセルバッファ１１３に蓄積されているＡＴＭセルを送出順かつ優先クラス順に抽出して、出力Ｉ／Ｆ部１１９に転送するものである。すなわち、優先制御部１１５は、ＶＣ毎に送出順を決定し、同一ＶＣ内でも優先クラスによって送出順を決定しているため、ＶＣ間およびＶＣ内での優先制御を行っていることとなる。
【００２６】
次に、出力Ｉ／Ｆ部１１９について説明する。出力Ｉ／Ｆ部１１９は、インターネットやＬＡＮ等のネットワーク１２１ｂに対する本装置の出力インタフェースであり、優先制御部１１５によって決定された順でＡＴＭセルがネットワーク１２１ｂに転送される。
【００２７】
次に、本実施形態のパケット伝送装置の動作（パケット伝送方法）について、図１を参照して説明する。まず、ネットワーク１２１ａから入力Ｉ／Ｆ部１０１にＩＰパケットが入力されると、このＩＰパケットはパケット処理部１０３に送られる。パケット処理部１０３は、優先クラス設定テーブル１０５を参照して当該ＩＰパケットの優先クラスを判別して、パケットバッファ１０７の当該判別された優先クラスに対応する領域にＩＰパケットを格納する。
【００２８】
次に、ＡＴＭ処理部１０９は、パケットバッファ１０７に蓄積されているＩＰパケットを優先クラスの高い順に抽出し、ＶＣマッピングテーブル１１１を参照してＶＣマッピングおよびＡＴＭセルの組み立てを行った後、ＡＴＭセルバッファ１１３のマッピングされたＶＣ中の、パケット処理部１０３で判別された優先クラスに対応する領域にＡＴＭセルを格納する。次に、優先制御部１１５は、優先制御情報テーブル１１７を参照して、ＡＴＭセルバッファ１１３に蓄積されているＡＴＭセルを送出順かつ優先クラス順に抽出して、出力Ｉ／Ｆ部１１９を介してネットワーク１２１ｂに転送する。
【００２９】
以上説明したように、本実施形態のパケット伝送装置およびパケット伝送方法では、パケット処理部１０３が優先クラス設定テーブル１０５を参照し、ＴｏＳフィールドだけでなくＩＰアドレスやＩＰプロトコル、ＴＣＰポート番号、ＵＤＰポート番号等の組み合わせからＩＰパケット毎に優先クラスを判別しているため、より細かなクラス分けをすることができる。この結果、ＩＰパケットとしてさまざまなメディア（種類）のデータが入力された場合においても、柔軟な優先制御を行うことができる。したがって、音声であれば音切れ、動画であればコマ落ち、データ破損などが発生することがなくなるため、良質な伝送品質を確保することができる。さらに、優先クラス設定テーブル１０５は書き換え可能であるため、当該装置のユーザにとって所望の設定にすることができる。
【００３０】
また、ＡＴＭ処理部１０９がＶＣマッピングテーブル１１１を参照して、ＩＰパケット毎に適当なＶＣをマッピング行っており、ＡＴＭセルはＶＣ毎および優先クラス毎にＡＴＭセルバッファ１１３に格納されるため、優先制御部１１５は、結果としてＩＰパケットの宛先または送信元に応じて適当な優先制御を行うことができる。
【００３１】
〔第２の実施形態〕
図５は、本発明の第２の実施形態に係るパケット伝送装置を示すブロック図である。同図に示すように、第２の実施形態のパケット伝送装置は、第１の実施形態のパケット伝送装置が有する構成要素に加えて、セル数カウント部２０１を備えている。
【００３２】
セル数カウント部２０１は、１つのＩＰパケットから組み立てられるＡＴＭセルの個数（以下「セル数」という。）をＩＰパケット毎にカウントし、ＡＴＭセルの格納に合わせて当該カウント数をＡＴＭセルバッファ１１３に格納するものである。また、本実施形態の優先制御部１１５′は、ＡＴＭセルを出力Ｉ／Ｆ部１１９に転送する際に、ＡＴＭセルバッファ１１３に格納されたセル数を取得して、当該セル数が示す数のＡＴＭセルをＡＴＭセルバッファ１１３から連続して転送する。
【００３３】
以上説明したように、本実施形態のパケット伝送装置およびパケット伝送方法によれば、ＡＴＭセルであってもＩＰパケット単位で優先制御を行うことができる。また、同一ＶＣコネクションかつ同一優先クラスのＡＴＭセルを連続して正確に転送することもできる。
【００３４】
【発明の効果】
以上説明したように、本発明に係るパケット伝送装置、パケット伝送方法およびパケット伝送プログラムによれば、パケットとしてさまざまな種類のデータが入力された場合においても、柔軟な優先制御を行うことができ、良質な伝送品質を確保することができる。
【図面の簡単な説明】
【図１】本発明の第１の実施形態に係るパケット伝送装置を示すブロック図
【図２】優先クラス設定テーブルの一例を示す説明図
【図３】ＶＣマッピングテーブルの一例を示す説明図
【図４】優先制御情報テーブルの一例を示す説明図
【図５】本発明の第２の実施形態に係るパケット伝送装置を示すブロック図
【図６】特開平１１−３１３０７９号公報に記載のＡＴＭ通信装置を示すブロック図
【符号の説明】
１０１　入力インタフェース部（入力Ｉ／Ｆ部）
１０３　パケット処理部
１０５　優先クラス設定テーブル
１０７　パケットバッファ
１０９　ＡＴＭ処理部
１１１　ＶＣマッピングテーブル
１１３　ＡＴＭセルバッファ
１１５，１１５′　優先制御部
１１７　優先制御情報テーブル
１１９　出力インタフェース部（出力Ｉ／Ｆ部）
２０１　セル数カウント部
【図１】
2004015504.tif 000003
【図２】
2004015504.tif 000004
【図３】
2004015504.tif 000005
【図４】
2004015504.tif 000006
【図５】
2004015504.tif 000007
【図６】
2004015504.tif 000008